【誤訳訂正書】
【提出日】平成23年10月24日(2011.10.24)
【誤訳訂正１】
【訂正対象書類名】特許請求の範囲
【訂正対象項目名】全文
【訂正方法】変更
【訂正の内容】
【特許請求の範囲】
【請求項１】
分岐ポリマーを調製する方法であって、分岐ポリマーの形成を特徴とする条件で、金属化合物又は複合体を含む少なくとも１つの付加重合触媒と共触媒との存在下、１以上の付加重合性モノマーと重合性シャトリング剤とを重合するステップを含み、
重合性シャトリング剤が１つ以上の重合性部分を有する、方法。
【請求項２】
少なくともいくつかの分岐部分が、２種以上のモノマー単位の重合で形成された長鎖分岐である、請求項１に記載の方法。
【請求項３】
ポリマーの異なるセグメントが、異なるプロセス条件下で調製される、請求項１に記載の方法。
【請求項４】
２種以上の重合触媒が、重合において使用される、請求項１に記載の方法。
【請求項５】
２種以上の重合触媒が、連続的に連結された別々の重合反応器内で使用される、請求項４に記載の方法。
【請求項６】
重合が、単一の反応器内で行われる、請求項４に記載の方法。
【請求項７】
触媒が、式、
【化１】
2009509002.tif 000001
（式中、
Ｒ11は、アルキル、シクロアルキル、ヘテロアルキル、シクロヘテロアルキル、アリール及びこれらの不活性置換誘導体であって、１〜３０個の原子（水素又は２価の誘導体を含まず）を含有するものから選択され；
Ｔ1は、水素以外の１〜４１個の原子を持つ２価の架橋基、好ましくは水素以外の１〜２０個の原子を持つ２価の架橋基、最も好ましくはモノ又はジＣ1-20ヒドロカルビル置換メチレン又はシラン基であり；
Ｒ12は、ルイス塩基官能基、特に、ピリジン−２−イル−又は置換ピリジン−２−イル基を含有するＣ5-20ヘテロアリール基又はその２価の誘導体であり；
Ｍ1は、第４族金属、好ましくはハフニウムであり；
Ｘ1は、アニオン性、中性又はジアニオン性リガンド基であり；
ｘ’は、このようなＸ1基の数を表す０〜５の数であり；及び
結合、任意の結合、及び電子供与性相互作用は、それぞれ、線、点線及び矢印によって表す）に対応する金属複合体、又は式、
【化２】
2009509002.tif 000002
（式中、
Ｍ2は、元素周期表の第４〜１０属の金属であり；
Ｔ2は、窒素、酸素又はリン含有基であり；
Ｘ2は、ハロ、ヒドロカルビル又はヒドロカルビルオキシであり；
ｔは１又は２であり；
ｘ’’は、電荷バランスを提供するように選択される数であり；及び
Ｔ2及びＮは、架橋リガンドにより結合されている）に対応する金属複合体を含む、請求項１に記載の方法。
【請求項８】
複数分岐状擬似ブロック共重合体を調製する方法であって、
重合反応器内で、オレフィン重合触媒及び重合性シャトリング剤の存在下、１以上のオレフィン系モノマーを重合し、少なくともいくらかの量の、ポリマーに重合されたシャトリング剤官能基を含有する初期ポリマーを形成するステップと、
反応生成物を、第一反応器又はゾーンから、第一重合反応器又はゾーンの条件とは区別し得る重合条件下で操作する第２重合反応器又はゾーンへ放出するステップと、
シャトリング剤官能基を含有する少なくともいくつかの初期ポリマーを、第２重合反応器又はゾーン内の活性触媒部位へ移動するステップと、
初期ポリマーのいくらか又は全てに結合し、かつ初期ポリマーセグメントとは区別し得るポリマー特性を有する第二ポリマーセグメントを形成するように、第２重合反応器又はゾーン内で重合を行うステップと、
を含む方法。
【請求項９】
複数分岐状擬似ブロック共重合体を調製する方法であって、
オレフィン重合触媒及び重合性シャトリング剤（ＰＳＡ）の存在下、１以上のオレフィン系モノマーを重合し、シャトリング剤によって停止されかつポリマー中に付加重合性官能基を含有する少なくともいくらかの量の初期ポリマーを形成するステップと、
ＰＳＡの付加重合性官能基によって、いくらか又は全ての初期ポリマーに結合された第二ポリマーセグメントを形成するように、同じ又は異なる重合反応器内で、場合によっては、１以上の付加重合触媒、共触媒、モノマー又は連鎖シャトリング剤の存在下、重合を継続するステップと
を含む方法。
【誤訳訂正２】
【訂正対象書類名】明細書
【訂正対象項目名】００２３
【訂正方法】変更
【訂正の内容】
【００２３】
本発明の別の実施形態では、方法及び結果として得られる分岐状擬似ブロック共重合体が提供され、該方法は、重合反応器内で、オレフィン重合触媒及びＰＳＡの存在下、１以上のオレフィン系モノマーを重合し、少なくともいくらかの量の、ポリマーに重合されたシャトリング剤官能基を含有する初期ポリマーの形成を起こすステップと、
反応生成物を、第一反応器又はゾーンから、第一重合反応器又はゾーンの条件とは区別し得る重合条件下で操作する第２重合反応器又はゾーンへ放出するステップと、
シャトリング剤官能基を含有する少なくともいくつかの初期ポリマーを、第２重合反応器又はゾーン内の活性触媒部位へ移動するステップと、
初期ポリマーのいくらか又は全てに結合し、かつ初期ポリマーセグメントとは区別し得るポリマー特性を有する第二ポリマーセグメントを形成するように、第２重合反応器又はゾーン内で重合を行うステップとを含む。
【誤訳訂正３】
【訂正対象書類名】明細書
【訂正対象項目名】００９９
【訂正方法】変更
【訂正の内容】
【００９９】
本発明で使用される多価ルイス塩基複合体は、第４族金属誘導体、特に、式に対応するヒドロカルビルアミン置換ヘテロアリール化合物のハフニウム誘導体を特に含む。
【化２０】
2009509002.tif 000003
（式中、
Ｒ11は、１〜３０個の水素ではない原子を含有するアルキル、シクロアルキル、ヘテロアルキル、シクロヘテロアルキル、アリール、及びこれらの不活性置換誘導体から選択され、あるいはこれらの２価の誘導体であり；
Ｔ1は、水素以外の１〜４１個の原子、好ましくは水素以外の１〜２０個の原子を有する２価の架橋基、最も好ましくはモノ又はジＣ1-20ヒドロカルビル置換メチレン又はシラン基であり；
Ｒ12は、ルイス塩基官能基を含有するＣ5-20ヘテロアリール基、特にピリジン−２−イル又は置換ピリジン−２−イル基、あるいはこれらの２価の誘導体であり；
Ｍ1は、第４続金属、好ましくはハフニウムであり；
Ｘ1は、アニオン性、中性又はジアニオン性リガンド基であり；
ｘ’は、前記Ｘ1基の数を示す０〜５の数であり；
結合、任意の結合、及び電子供与性相互作用は、それぞれ、線、点線及び矢印で示す。）
【誤訳訂正４】
【訂正対象書類名】明細書
【訂正対象項目名】０２１５
【訂正方法】変更
【訂正の内容】
【０２１５】
７．触媒が、式、
【化３６】
2009509002.tif 000004
（式中、
Ｒ11は、アルキル、シクロアルキル、ヘテロアルキル、シクロヘテロアルキル、アリール及びこれらの不活性置換誘導体であって、１〜３０個の原子（水素又は２価の誘導体ではない）を含有するものから選択され；
Ｔ1は、水素以外の１〜４１個の原子を持つ２価の架橋基、好ましくは水素以外の１〜２０個の原子、最も好ましくはモノ又はジＣ1-20ヒドロカルビル置換メチレン又はシラン基であり；
Ｒ12は、ルイス塩基官能基、特に、ピリジン−２−イル−又は置換ピリジン−２−イル基を含有するＣ5-20ヘテロアリール基又はその２価の誘導体であり；
Ｍ1は、第４族金属、好ましくはハフニウムであり；
Ｘ1は、アニオン性、中性又はジアニオン性リガンド基であり；
ｘ’は、そのようなＸ1基の数を表す０〜５の数であり；及び
結合、任意の結合、及び電子供与性相互作用は、それぞれ、線、点線及び矢印によって表す）に対応する金属複合体、又は式、
【化３７】
2009509002.tif 000005
（式中、
Ｍ2は、元素周期表の第４〜１０属の金属であり；
Ｔ2は、窒素、酸素又はリン含有基であり；
Ｘ2は、ハロ、ヒドロカルビル又はヒドロカルビルオキシであり；
ｔは１又は２であり；
ｘ’’は、電荷バランスを提供するように選択される数であり；及び
Ｔ2及びＮは、架橋リガンドにより結合されている）に対応する金属複合体を含む実施形態１による方法。